(57)【要約】小型のレーザーダイオードからの光が、カテーテル（３０）の末端（５０）内に送り込まれ、管腔内に入れられ又は製造中に侵襲性カテーテルチューブの壁の中に埋められた光ファイバー（１０）を通過する。光は、波長が組織により最小に吸収される波長であるように、好ましくは約６２０ｎｍから１１００ｎｍの範囲のものであるように選ばれる。組織による吸収が最小に近いように、７８０ｎｍが使用されることが好ましい。光は、ファイバー（１０）の端部から出て、組織を通り、そして患者の皮膚の外側に通過し、そこでこれが測定される。光のパターンは、光のその他の周波数を阻止する暗視ゴーグル（７０）により観察される。検知された光は、ファイバー（１０）の端部の位置決めを許し、位置決めの精度はファイバー先端と身体の外側との間の組織の厚さに依存する。
2004536639.tif 000002
【特許請求の範囲】
【請求項１】
患者内の侵襲性カテーテルの設置を導くための光学的案内システムであって、
カテーテルチューブ、
前記カテーテルチューブ内に挿入され、前記カテーテルチューブの手元側端部から前記カテーテルチューブの末端に伸びている光ファイバー、
カテーテルが患者に挿入されたとき、末端において前記光ファイバー内に光を送り込むようにされ、これにより送り込まれた光は光ファイバーを通りカテーテルの末端に通過し、そして挿入されたカテーテルの末端から放射された光が患者の組織を通って患者の身体の外側に通過するようにされた光源、及び
患者の体内のカテーテルの末端の位置の決定において検知装置のオペレーターを支援するために、患者の身体の外側の放射された光を受け取りかつ濾波する検知装置
を備えた光学的案内システム。
【請求項２】
光源が、６２０ｎｍから１１００ｎｍまでの波長範囲の光を放射するレーザーダイオードを備える請求項１の光学的案内システム。
【請求項３】
レーザーダイオードが、ほぼ７８０ｎｍの波長で光を放射する請求項２の光学的案内システム。
【請求項４】
検知装置が、検知面上に干渉フィルターを有する暗視ゴーグルを備え、干渉フィルターが、前記光源により放射された波長範囲を含んだ狭帯域の外側の波長範囲の光を効果的に阻止する請求項１の光学的案内システム。
【請求項５】
前記ゴーグルが、オペレーターの一方の目の直前に、ミニディスプレイにおけるマイクロチャンネルプレート画像化装置を備える請求項４の光学的案内システム。
【請求項６】
光ファイバーが、カテーテルチューブの壁の中に埋められた請求項１の光学的案内システム。
【請求項７】
光ファイバーがカテーテルチューブの末端に伸びるようにカテーテルチューブの管腔内に挿入され、そしてカテーテルチューブの患者内への挿入中、光ファイバーが定位置に保持される請求項１の光学的案内システム。
【請求項８】
患者内に挿入された侵襲性カテーテルの末端位置を判定するための方法であって、
カテーテルの手元側端部から末端に伸びるように内部に挿入された光ファイバーを有する侵襲性カテーテルを患者に挿入し、
光ファイバーの手元側端部に狭帯域の光を送り込み、これにより、カテーテルが患者に挿入されたとき、送り込まれた光が光ファイバーを通りカテーテルの末端に通過し、そして挿入されたカテーテルの末端から放射された光が患者の組織を通り患者の身体の外側に通過し、
カテーテルの末端から放射され患者の皮膚を通って皮膚表面に通過した患者の皮膚の表面における赤外線を検知し、更に
患者の皮膚の表面における検知された光のパターンを濾波することによりカテーテルの末端の位置を判定する
諸段階を含む方法。
【請求項９】
光ファイバーの手元側端部に送り込まれ光が、６２０ｎｍから１１００ｎｍまでの波長である請求項８の方法。
【請求項１０】
光ファイバーの手元側端部に送り込まれた光が、ほぼ７８０ｎｍの波長を有する請求項９の方法。
【請求項１１】
検知段階が、検知面上方に干渉フィルターを有する暗視ゴーグルにより、患者の身体を観察する段階を含む請求項８の方法。
【請求項１２】
判定段階が、前記光ファイバー内に送り込まれた狭帯域の光の波長範囲の外側の波長範囲の光を効果的に阻止するように、患者から放射された光を干渉フィルターを通して濾波することを含む請求項１１の方法。
【請求項１３】
検知段階が、前記ゴーグルを着用している間、オペレーターの一方の目の前面にミニディスプレイを提供する段階を更に含む請求項１１の方法。
【請求項１４】
光ファイバー挿入段階が、光ファイバーをカテーテルの壁の中に埋める段階を更に含む請求項８の方法。
【請求項１５】
光ファイバー挿入段階が、カテーテルの末端に伸びるようにカテーテルの管腔内に光ファイバーを挿入し、更に患者内へのカテーテルの挿入中、光ファイバーを定位置に保持する諸段階を更に含む請求項８の方法。
【請求項１６】
第２の光ファイバーが前記カテーテルの前記末端より短い所定距離で終わるように前記第２の光ファイバーをカテーテル内に挿入し、前記光ファイバー内に送り込まれた光と区別し得る光を前記第２の光ファイバー内に送り込み、光ファイバー内に送り込まれた光の各光源の周波数で患者から放射された光を検知し、更に患者から放射された光の検知された位置に基づいてカテーテルがそれ自体に２重後部を持つか否かを判定する追加の諸段階を含む請求項８の方法。
【発明の詳細な説明】
【技術分野】
【０００１】
本発明は、気管内チュービング、経鼻胃チュービング、栄養補給チュービング、硬膜外カテーテル、中心静脈カテーテル、抹消挿入の中心静脈カテーテル、胸腔チューブ複カテーテル、及び同様な侵襲性（ｉｎｖａｓｉｖｅ）カテーテル及びチューブの挿入のための光学的案内システム及び方法に関する。
【背景技術】
【０００２】
身体内の特定の位置に栄養分又は薬物を提供する目的で患者内に挿入されたカテーテルの端部位置の判定は困難であった。現在は、カテーテルの設置は、可視の案内なしに行われるか、又は設置が特に決定的な場合はｘ線により行われ、ｘ線は、チュービングの製造に使用された放射線に不透明なプラスチック材料の位置を正確に判定できる。しかし、多数のｘ線を必要とすることが多い。挿入されたチュービングの端部を位置決するために多数のｘ線を必要とすることは望ましくない。使用に便利でかつ容易でしかもｘ線の使用なしに極めて正確にチュービング端部の位置決めのできる光学的システムが望ましい。好ましくは、カテーテル先端の位置は挿入中に直接観察でき、更にその後、いつでも先端位置を確認できることが好ましい。
【０００３】
例えば、腹膜壁を通して挿入された後、患者の内部器官の照明を提供する従来技術のカテーテル光給送装置が知られている（例えば、ウッドワード（Ｗｏｏｄｗａｒｄ）他の特許文献２）。この照明は、組織表面を画像化するため又は光力学的治療に使用される光を送るために光を提供する。かかる装置は、カテーテル設置のためには使用されない。
【０００４】
フォンテノット（Ｆｏｎｔｅｎｏｔ）の特許文献３のような別の光案内は、外科処置中に内部器官内又は血管内に挿入された異なる長さの多数の光案内ファイバーを持つ。バルーンカテーテルの場合、かかる光案内は、必要になった場合、バルーンの膨張が血管を閉塞するであろう位置にバルーンカテーテルを置くために使用される。この光案内は独立したものであり、観察は、近赤外線の光では必要とする光の強度は小さいが、可視光で十分であるように血管壁を通して行われる。外科用の切断具が血管に接近したときを判定するための検知装置も説明される。
【０００５】
ヴァンダーサルム（Ｖａｎｄｅｒ  Ｓａｌｍ）他の特許文献４及びジュハイロングソド（Ｄｕｈａｙｌｏｎｇｓｏｄ）他の特許文献５は、同様に、外科的条件下で血管壁を通してバルーンカテーテルを可視化する方法を説明する。これら装置においては、光ファイバーは独立したものであり、光ファイバーを多管腔カテーテルのひとつの管腔を通して挿入することが好ましい。この明らかにされた装置は、心臓外科における使用に対して特に明らかにされた。
【０００６】
かかる従来技術の光案内は、多数の異なる機能を有するカテーテルの構造中に組み込まれた１個のファイバーは使用せず、気管内チュービング、経鼻胃チュービング、栄養補給チュービング、硬膜外カテーテル、中心静脈カテーテル、抹消挿入の中心静脈カテーテル、胸腔チューブ複カテーテル、又は同様な侵襲性カテーテル及びチューブのための非外科的処置中に挿入されたカテーテルの先端を位置決することに第１には向けられず、更に従来技術の装置は、血管が外科的に露出されずかつ可視光（青からオレンジ色）は組織を貫通するには不十分であるため、近赤外線の光しか使用しない。更に、かかる従来技術の装置は比較的高価であり、かつ光学的構成要素は患者と接触する可能性があるため難しいＦＤＡの検査を必要とすることがある。本発明は、従来技術におけるこれらの制限に接近する。
【特許文献１】
米国暫定特許出願第６０／２９９，２９９号  明細書
【特許文献２】
米国特許第５，９４７，９５８号  明細書
【特許文献３】
米国特許第５，４２３，３２１号  明細書
【特許文献４】
米国特許第５，９０６，５７９号  明細書
【特許文献５】
米国特許第６，１１３，５８８号  明細書
【発明の開示】
【課題を解決するための手段】
【０００７】
小型レーザーダイオードからの光は、管腔内に入れられた光ファイバー、又は製造中に侵襲性カテーテルチューブの壁の中に組み入れられた光ファイバーを通過する。光は、組織による吸収が最小の波長、好ましくは約６２０ｎｍから１１００ｎｍの範囲の波長のものが選ばれる。好ましい実施例においては、組織による吸収が最小に近いものとして７８０ｎｍが使用される。光は（カテーテルの末端において）ファイバーの端部から出て、組織を通り、外側に通過し、そこで測定される。光のパターンは、その他の周波数範囲の光を遮断する暗視ゴーグルにより観察される。検知された光がファイバー端部の位置決めを許し、この位置決めの精度は、ファイバー先端と身体の外側との間の組織の厚さに依存する。この方法は小児に対して、及び成人の皮膚表面に近いカテーテルに対して非常に正確であるが、体格のよい成人の身体の空洞部内に置かれたカテーテルについては実用的ではないことがある。
【発明を実施するための最良の形態】
【０００８】
本発明による気管内チュービング、経鼻胃チュービング、栄養補給チュービング、硬膜外カテーテル、中心静脈カテーテル、抹消挿入の中心静脈カテーテル、胸腔チューブ複カテーテル、及び様な侵襲性カテーテル及びチューブの挿入のための光案内システム及び方法が、付属図面を参照し、以下、更に説明される。
【０００９】
本発明による光案内システムは、放射が広さ２ｎｍ以下及び出力５ｍＷ以下で波長６２０ｎｍから１１００ｎｍの範囲、好ましくは波長７８０ｎｍを有するレーザーダイオードを備え、この出力は１５０ミクロン（又はこれ以下）のコアガラス光ファイバーを通して末端のＳＴ光コネクターに送られる。図１に示されるように、ガラス光ファイバー１０は、カテーテル管腔４０を有するカテーテル３０の壁２０に（即ち、壁により部分的に又は完全に囲まれて）埋設される。光ファイバー１０は、カテーテル３０の全長を走り、カテーテル３０の末端５０における光ファイバー１０の非接続の端部は、図２に示されるように患者内に挿入される。手元側の端部６０は光ファイバー１０とレーザーダイオード（図示せず）との接続に適したＳＴ光コネクター（図示せず）で終わる。逆に、光ファイバー１０は、その手元側端部においてカテーテル３０の管腔４０内に挿入され、カテーテル３０の末端５０に送られ、そして定位置に保持され、そこで、カテーテル３０が患者内に挿入されると光は末端５０から出る。
【００１０】
オペレーターは、近赤外線［暗視」ゴーグル７０のような検知システムを使用し、選定された位置への入口位置からのカテーテル３０の進行を観察する。カテーテル３０の末端５０は、単一光源として処理され、この光源からの拡散光が検知される。（７８０ｎｍの光源のための）中心波長７８０ｎｍの（広帯域通過フィルターを使用することができるが、ハーフハイト（ｈａｌｆ  ｈｉｇｈｔ）において＜１０ｎｍの）狭帯域通過干渉フィルター８０が、ゴーグル７０の検知面を覆うように使用される。一般に、その他の周囲の光の寄与は光フィルターの通過帯域幅の増加とともに増大する。レーザーダイオードの波長の多少の変化を許しなおかつゴーグル７０の検知器を通過するレーザーダイオードからの光の量よりその他の光の量を最小にするように１０ｎｍ以下の値が選ばれた。その他の波長の光が使われた場合は、当該波長に対して中心を合わせられた適切な干渉フィルターが使用されるであろうことは言うまでもない。
【００１１】
図３は、経鼻胃カテーテル３０を介して患者の身体内に挿入された図１及び２のカテーテル３０、及び本発明の方法に従って患者の皮膚に最寄りの位置におけるカテーテル３０の先端５０からの光の検知を示す。図３に示された例においては、適切な干渉フィルター８０を有する暗視ゴーグル７０により、オペレーターは、患者の胃の外側の皮膚を通して赤外線光を見ることができる。
【００１２】
本技術熟練者は、異なる光源及び光検知器を使用して別デザインの本発明によるカテーテル用光案内システムを構成することができる。７８０ｎｍの光は、この波長における組織の吸収が最小に近いので適しているが、例えば、提供された光が適切な波長及びエネルギーのものである限り、光源としてＬＥＤを使用することができる。この場合、より広い帯域通過のフィルターが検知器に必要とされるであろう（ＬＥＤ光出力は、レーザーダイオードより帯域幅が広い）。同様にホトダイオード、光電子倍増管、アバランシェホトダイオード、及びマイクロチャンネルプレートを含んだその他の検知器を使用することができる。ホトダイオード又はその他のシングルサイト（ｓｉｎｇｌｅ  ｓｉｔｅ）検知器が使用されときは、光ファイバーから放射された特定の光の最大部分を検出するために、これらを組織の表面上で動かすことができる。（１０００Ｈｚのような）或る特定周波数で光を変調し、その周波数の光信号だけを検知することにより測定の感度を最大にすることができる。
【００１３】
オペレーターが検知できるであろう別の変更は、カテーテルが不適当に２個の光ファイバーを組み込み、その一方は先端の手前約５ｃｍで終わり、他方は先端で終わる「２重後部（ｄｏｕｂｌｅｄ  ｂａｃｋ）」を有する場合である。この二つは、光の周波数及び／又は波長の変調における差異により区別することができる。
【００１４】
検知システムの一変更例においては、暗視ゴーグル７０は、オペレーターの一方の目の直前のニミディスプレイ中に感度のよいマイクロチャンネルプレートを備えることができる。これにより、オペレーターは、望むように患者又はディスプレイのどちらも見ることができる。
【００１５】
本発明の実施例が以上詳細に説明されたが本技術熟練者は、本発明の新規な技術及び利点から実質的に離れることなくこの実施例に多くの追加変更が可能であることを容易に認めるであろう。かかる変更はいずれも特許請求の範囲に定められた本発明の範囲内に含まれるべきことが意図される。
【図面の簡単な説明】
【００１６】
【図１】挿入されたカテーテルの先端の位置決めを行うために本発明により使用される一体の光ファイバーを有するカテーテルの断面を示す。
【図２】図１のカテーテルの側面を示す。
【図３】患者の体内に挿入された図１のカテーテル及び本発明の方法により患者の皮膚に最寄りの場所におけるカテーテルの先端からの光の検知を示す。
【図１】
2004536639.tif 000003
【図２】
2004536639.tif 000004
【図３】
2004536639.tif 000005
【国際公開パンフレット】
2004536639.tif 000006
2004536639.tif 000007
2004536639.tif 000008
2004536639.tif 000009
2004536639.tif 000010
2004536639.tif 000011
2004536639.tif 000012
2004536639.tif 000013
2004536639.tif 000014
2004536639.tif 000015
2004536639.tif 000016
2004536639.tif 000017
2004536639.tif 000018
【国際公開パンフレット（コレクトバージョン）】
2004536639.tif 000019
2004536639.tif 000020
2004536639.tif 000021
2004536639.tif 000022
2004536639.tif 000023
2004536639.tif 000024
2004536639.tif 000025
2004536639.tif 000026
2004536639.tif 000027
2004536639.tif 000028
2004536639.tif 000029
2004536639.tif 000030
2004536639.tif 000031
【国際公開パンフレット（コレクトバージョン）】
2004536639.tif 000032
2004536639.tif 000033
【国際調査報告】
2004536639.tif 000034